(57)【特許請求の範囲】
【請求項１】
利用者側の端末との間で通信ネットワークを介して通信可能に構成され、レシピ情報データベースから抽出した所定の料理のレシピ情報を、前記通信ネットワークを介して前記利用者側の端末に送信可能な料理レシピ情報提供システムで実行される料理レシピ情報提供方法であって、
前記利用者側の端末から受信した要求信号に基づいて、第１料理の第１レシピ情報を前記レシピ情報データベースから抽出する第１レシピ情報抽出工程と、
前記第１レシピ情報抽出工程で抽出した前記第１レシピ情報を前記利用者側の端末に送信する第１レシピ情報送信工程とを順に実行すると共に、
前記第１レシピ情報抽出工程で抽出した前記第１レシピ情報に従って、調理機器が前記第１料理を自動調理する前記第１料理の調理中における運転時間を合間時間として認識する合間時間認識工程と、
前記合間時間認識工程で認識した前記合間時間において調理可能な第２料理を、前記レシピ情報データベースから検索する第２料理検索工程と、
前記第２料理検索工程で検索した前記第２料理に関する第２料理情報を、前記利用者側の端末に送信する第２料理情報送信工程とを順に実行する料理レシピ情報提供方法。
【請求項２】
前記第２料理情報送信工程において、前記第２料理検索工程で検索された前記第２料理の複数の一覧情報を前記第２料理情報として前記利用者側の端末に送信し、前記利用者側の端末において前記一覧情報から選択された前記第２料理の第２レシピ情報を前記利用者の端末に送信する請求項１に記載の料理レシピ情報提供方法。
【請求項３】
前記第１レシピ情報が、所定の調理機器の制御パラメータを含むものであり、
前記利用者側の端末が、前記料理レシピ情報提供システムから受信した前記第１レシピ情報内の前記制御パラメータを前記調理機器に転送可能、且つ、前記調理機器の前記制御パラメータに基づく運転開始を認識して、運転開始信号を前記料理レシピ情報提供システムに送信可能に構成され、
前記料理レシピ情報提供システムが、前記運転開始信号を受信した後に、前記第２料理情報送信工程を実行する請求項１又は２に記載の料理レシピ情報提供方法。
【請求項４】
前記第２料理検索工程において検索される前記第２料理が、前記合間時間において前記第１料理の調理で利用される調理機器を利用しないものである請求項１から３の何れか１項に記載の料理レシピ情報提供方法。
【請求項５】
前記第２料理検索工程において検索される前記第２料理が、前記第１料理に対して所定の組合わせ属性関係を有するものである請求項１から４の何れか１項に記載の料理レシピ情報提供方法。
【請求項６】
利用者側の端末との間で通信ネットワークを介して通信可能に構成され、レシピ情報データベースから抽出した所定の料理のレシピ情報を、前記通信ネットワークを介して前記利用者端末に送信可能な料理レシピ情報提供システムで実行される料理レシピ情報提供方法であって、
前記利用者側の端末が、第１料理を自動調理する所定の調理機器の運転時間を認識して、運転時間信号を前記料理レシピ情報提供システムに送信可能に構成され、
前記利用者側の端末から受信した前記運転時間信号から、前記調理機器の運転時間である合間時間を認識する合間時間認識工程と、
前記合間時間認識工程で認識した前記合間時間において調理可能な第２料理を、前記レシピ情報データベースから検索する第２料理検索工程と、
前記料理情報検索工程で検索した前記第２料理に関する情報を、前記利用者側の端末に送信する第２料理情報送信工程とを順に実行する料理レシピ情報提供方法。
【発明の詳細な説明】
【０００１】
【発明の属する技術分野】
本発明は、利用者側の端末との間で通信ネットワークを介して通信可能に構成され、レシピ情報データベースから抽出した所定の料理のレシピ情報を、前記通信ネットワークを介して前記利用者側の端末に送信可能な料理レシピ情報提供システムで実行される料理レシピ情報提供方法に関する。
【０００２】
【従来の技術】
上記のような料理レシピ情報提供システムは、料理レシピ（料理の材料及び調理法等）に関するレシピ情報を複数格納したレシピ情報データベースにアクセス可能、且つ利用者側のパソコン等のクライアント端末との間でインターネット等の通信ネットワークを介して通信可能なサーバ装置等により構成されている。そして、上記料理レシピ情報提供方法は、利用者側の端末にレシピ情報を表示することで利用者側にレシピ情報を提供する料理レシピ提供サイトにおいて実行される。
詳しくは、料理レシピ情報提供システムは、上記料理レシピ提供サイトにアクセスした利用者の端末に、主菜、副菜、及び汁物等の分類毎のお勧め料理の一覧を表示させる。そして、利用者が端末に表示された料理から、上記料理レシピの開示を希望するものを、マウス等のポイントツールにより選択することで、上記料理レシピ情報提供システムに、その料理が認識可能な要求信号が送信される。すると、上記料理レシピ情報提供システムは、受信した要求信号に基づいて、上記選択された料理のレシピ情報を上記レシピ情報データベースから抽出し、抽出したレシピ情報を上記利用者の端末に送信して、端末にその料理レシピを表示させるのである。
このような料理レシピ情報提供システムにより管理されている料理レシピ提供サイトにより、利用者は、購入した料理本などから料理レシピを探す等の手間を省くことができ、さらに、数多くの料理レシピを参照することができる。
【０００３】
また、このように料理レシピ情報提供システムは、利用者の端末に表示される料理レシピに関する情報と共に、オーブン等の所定の調理機器の設定温度や運転時間等の制御パラメータに関する情報を、レシピ情報として利用者の端末に送信するように構成することができる。
即ち、料理レシピ情報提供システムは、上記調理機器と接続された又は上記調理機器に内蔵された利用者側の端末に、利用者が要求したレシピ情報を送信し、利用者側の端末は、その受信したレシピ情報内の料理レシピを表示すると共に、上記制御パラメータを調理機器へ転送する。そして、利用者が、端末に表示された料理レシピに従って、オーブン等の調理機器により自動調理を行う場合に、利用者が調理機器をスタートさせるだけで、その調理機器は受信した制御パラメータに基づく自動調理を行うのである。
【０００４】
【発明が解決しようとする課題】
例えば、利用者が、上記料理レシピ提供サイトにアクセスして、ある料理のレシピ情報を取得し、その端末に表示される料理レシピにしたがって、主菜を調理する場合において、上記調理機器で自動調理を行っている時間等の利用者が特に作業を行わない合間時間を有効に利用して副菜を調理したい場合がある。この場合、もう一度上記料理レシピ提供サイトにアクセスして、副菜の料理一覧等を参照し、副菜としてどのような料理が好ましいかを自ら判断し、その副菜となる料理のレシピ情報の送信を上記料理レシピ情報提供システム側に要求し、その副菜のレシピ情報を取得するのであるが、利用者の副菜の選択判断の支援を、料理レシピ情報提供システム側で行うことができれば、利用者に対して、上記料理レシピ提供サイトの利用促進を行うことができる。
従って、本発明は、上記の事情に鑑みて、上記料理レシピ情報提供方法において、利用者の副菜等の選択判断の支援を行って、一層の料理レシピ情報提供システムの利用促進を行える技術を実現することを目的とする。
【０００５】
【課題を解決するための手段】
〔構成１〕
本発明に係る料理レシピ情報提供方法は、請求項１に記載したごとく、前記利用者側の端末から受信した要求信号に基づいて、第１料理の第１レシピ情報を前記レシピ情報データベースから抽出する第１レシピ情報抽出工程と、
前記第１レシピ情報抽出工程で抽出した前記第１レシピ情報を前記利用者側の端末に送信する第１レシピ情報送信工程とを順に実行すると共に、
前記第１レシピ情報抽出工程で抽出した前記第１レシピ情報に従って、調理機器が前記第１料理を自動調理する前記第１料理の調理中における運転時間である合間時間として認識する合間時間認識工程と、
前記合間時間認識工程で認識した前記合間時間において調理可能な第２料理を、前記レシピ情報データベースから検索する第２料理検索工程と、
前記第２料理検索工程で検索した前記第２料理に関する第２料理情報を、前記利用者側の端末に送信する第２料理情報送信工程とを順に実行することを特徴とする。
【０００６】
〔作用効果〕
本発明に係る料理レシピ情報提供方法（以下、本発明方法と呼ぶ。）は、本構成の如く、従来の料理レシピ提供サイトと同様に、先ず、上記第１レシピ情報抽出工程、及び第１レシピ情報送信工程を順に実行する。即ち、上記料理レシピ提供サイトにアクセスし、主菜等の第１料理の一覧等からレシピ情報の開示を希望する第１料理が選択された利用者側の端末から、その選択された第１料理を認識できる要求信号が送信される。そして、料理レシピ情報提供システムは、受信した要求信号に基づいて、レシピ情報データベースから第１料理の第１レシピ情報を抽出し、その第１レシピ情報を利用者側の端末に送信する。そして、利用者側の端末は、受信した第１レシピ情報を、画面表示又は音声出力等により出力するのである。
【０００７】
さらに、本発明方法は、このように利用者側の端末に送信する第１料理の第１レシピ情報をレシピ情報データベースから抽出した後に、上記合間時間認識工程において、第１料理の調理中において、調理機器を用いた自動調理時間又はその他の利用者が時に作業を行わない時間等の合間時間を上記第１レシピ情報から認識する。そして、上記第２料理検索工程において、このように認識した第１料理の調理中の合間時間において調理可能な第２料理を、上記レシピ情報データベースから検索し、上記第２料理検索工程において、このように検索した第２料理の名称の一覧又はそのレシピ情報等の第２料理情報を、利用者側の端末に送信するのである。
【０００８】
このように本発明方法により、利用者が主菜等の調理を行うために、その主菜となる第１料理の第１レシピ情報を受信した利用者側の端末には、その第１料理の調理中の合間時間を利用して調理可能な副菜等の第２料理の一覧又はそのレシピ情報等の第２料理情報が受信され出力されるので、利用者は、その第２料理情報を参考にして副菜等を決定し、さらに、第１料理の調理中の合間時間を有効利用してその第２料理を調理することができる。
従って、本発明方法により、利用者の副菜等の第２料理の選択判断の支援を有効に行うことができ、一層の料理レシピ情報提供システムの利用促進を行うことができる。
【０００９】
〔構成２〕
本発明に係る料理レシピ情報提供は、請求項２に記載したごとく、上記構成１の料理レシピ情報提供方法の構成に加えて、前記第２料理情報送信工程において、前記第２料理検索工程で検索された前記第２料理の複数の一覧情報を前記第２料理情報として前記利用者側の端末に送信し、前記利用者側の端末において前記一覧情報から選択された前記第２料理の第２レシピ情報を前記利用者の端末に送信することを特徴とする。
【００１０】
〔作用効果〕
特に、上記第２料理検索工程において検索される第２料理は複数である場合において、料理レシピ情報提供システムは、上記代２料理情報送信工程において、先ず、その複数の第２料理の名称一覧等の一覧情報を利用者側の端末に送信することが好ましく、このような一覧情報は、夫々のレシピ情報を含めたものと比較して、データサイズが小さいので、瞬時に利用者側の端末に送信可能である。
そして、利用者側の端末に表示された一覧情報から、利用者がレシピ情報の開示を希望する第２料理を決定し、その第２料理を選択した後に、料理レシピ情報提供システムは、その選択された第２料理の第２レシピ情報を、利用者側の端末に送信することができ、上記一覧情報における他の第２料理のレシピ情報を送信する必要がないので、送信時間を節約することができる。
【００１１】
〔構成３〕
本発明に係る料理レシピ情報提供は、請求項３に記載したごとく、上記構成１又は２の料理レシピ情報提供方法の構成に加えて、前記第１レシピ情報が、所定の調理機器の制御パラメータを含むものであり、
前記利用者側の端末が、前記料理レシピ情報提供システムから受信した前記第１レシピ情報内の前記制御パラメータを前記調理機器に転送可能、且つ、前記調理機器の前記制御パラメータに基づく運転開始を認識して、運転開始信号を前記料理レシピ情報提供システムに送信可能に構成され、
前記料理レシピ情報提供システムが、前記運転開始信号を受信した後に、前記第２料理情報送信工程を実行することを特徴とする。
【００１２】
〔作用効果〕
利用者側の端末が、オーブン等の所定の調理機器に接続又は内蔵されて、その調理機器との間で、上記制御パラメータ及び上記運転開始信号を送受信可能に構成されている場合、本構成のごとく、料理レシピ情報提供システムは、本発明方法を実行するに、先ず第１料理の第１レシピ情報を送信して、利用者側の調理機器がその第１レシピ情報内の制御パラメータに基づく運転が開始されたことを、上記運転開始信号を受信することにより確認した後に、上記第２料理情報送信工程を実行するように構成することができる。
即ち、利用者が主菜等の第１料理の調理を行うために、第１料理の第１レシピ情報を受信し、実際にその第１料理の調理を行って、上記第１レシピ情報内の制御パラメータに基づいて所定の調理機器の自動調理を開始したときに、その利用者側の端末には、その調理機器の自動調理の時間等の合間時間において調理可能な第２料理に関する第２料理情報が出力されることになり、利用者は、タイミング良く出力された第２料理情報を参考に、調理機器による自動調理時間等の合間時間で調理可能な副菜等の第２料理の調理を即座に開始することができる。
【００１３】
〔構成４〕
本発明に係る料理レシピ情報提供方法は、請求項４に記載したごとく、上記構成１から３の何れかの料理レシピ情報提供方法の構成に加えて、前記第２料理検索工程において検索される前記第２料理が、前記合間時間において前記第１料理の調理で利用される調理機器を利用しないものであることが好ましい。
【００１４】
〔作用効果〕
本構成のごとく、上記第２料理検索工程において検索される、第１料理の合間時間を利用して調理可能な前記第２料理が、上記合間時間認識工程で認識した第１料理の調理において利用される調理機器を利用しないものであることにより、第１料理を調理機器で自動調理している合間時間において調理可能で、その調理機器を利用する必要が無い第２料理を、利用者に提案することができ、利用者は、その合間時間において、別の調理機器等を利用して、第２料理を調理することができる。
【００１５】
〔構成５〕
本発明に係る料理レシピ情報提供方法は、請求項５に記載したごとく、上記構成１から４の何れかの料理レシピ情報提供方法の構成に加えて、前記第２料理検索工程において検索される前記第２料理が、前記第１料理に対して所定の組合わせ属性関係を有するものであることが好ましい。
【００１６】
〔作用効果〕
本構成のごとく、上記第２料理検索工程において第１料理の合間時間を利用して調理可能な前記第２料理を検索するに、例えば第１料理が主菜の場合には、第２料理を副菜や汁物とし、上記第１料理が肉料理の場合には、第２料理を野菜料理とするなどのように、第２料理を、第１料理に対して所定の組合わせ属性関係を有するものとすることができ、利用者に、第１料理に対してバランスの良い組合わせの第２料理を提案することができる。
【００１７】
〔構成６〕
本発明に係る料理レシピ情報提供方法は、請求項６に記載したごとく、前記利用者側の端末が、第１料理を自動調理する所定の調理機器の運転時間を認識して、運転時間信号を前記料理レシピ情報提供システムに送信可能に構成され、
前記利用者側の端末から受信した前記運転時間信号から、前記調理機器の運転時間である合間時間を認識する合間時間認識工程と、
前記合間時間認識工程で認識した前記合間時間において調理可能な第２料理を、前記レシピ情報データベースから検索する第２料理検索工程と、
前記料理情報検索工程で検索した前記第２料理に関する情報を、前記利用者側の端末に送信する第２料理情報送信工程とを順に実行することが好ましい。
【００１８】
〔作用効果〕
利用者側の端末を、オーブン等の所定の調理機器に接続又は内蔵されて、その調理機器との間で、第１料理を自動調理する上記調理機器の運転時間を認識可能な運転時間信号を受信可能に構成すると共に、本発明方法においては、本構成の如く、上記合間時間認識工程において、利用者側の端末から受信した上記運転時間信号から、利用者が調理機器を用いて第１料理の自動調理を行う時間である調理機器の運転時間を、利用者が時に作業を行わない合間時間として認識する。そして、上記料理情報検索工程において、このように認識した合間時間において調理可能な第２料理を、上記レシピ情報データベースから検索し、その第２料理の名称又はそのレシピ情報等の第２料理情報を、上記料理情報抽出工程において、利用者側の端末に送信するのである。
【００１９】
このように本発明方法により、利用者が主菜等の第１料理の調理を行うために、調理機器を用いて自動調理を行うと、利用者側の端末には、その調理機器の自動調理時間内の合間時間を利用して調理可能な副菜等の第２料理の一覧又はそのレシピ情報等の料理情報が受信され出力されるので、利用者は、その料理情報を参考にして副菜等を決定し、さらに、上記合間時間を有効利用してその料理を調理することができる。
従って、本発明方法により、利用者の副菜等の選択判断の支援を有効に行うことができ、一層の料理レシピ情報提供システムの利用促進を行うことができる。
【００２０】
【発明の実施の形態】
本発明に係る料理レシピ情報提供方法の実施の形態について、図面に基づいて説明する。
図１は、本発明に係る料理レシピ情報提供方法を実行するための料理レシピ情報提供システム２０及び、その料理情報提供システム２０が管理する料理レシピ提供サイトに、通信ネットワークとしてのインターネット網１０を介してアクセス可能な利用者１側のパソコン２（利用者側の端末の一例）との関係を示した図である。
【００２１】
料理レシピ情報提供システム２０には、利用者１側のパソコン２との間で、インターネット網１０を介して通信可能に構成されたホストサーバ２１と、主菜、副菜、汁物等の数多くの料理の材料及び調理方法等のレシピ情報を格納したレシピ情報データベース（レシピ情報ＤＢ）２２が設けられている。
【００２２】
このような料理レシピ情報提供システム２０が管理する料理レシピサイトは、従来の料理レシピ提供サイトと同様に、利用者１側のパソコン２に料理レシピに関する情報を提供するものである。即ち、図２に示す料理レシピ情報提供システム２０が実行する料理レシピ情報提供方法のフロー図のように、料理レシピ情報提供システム２０のホストサーバ２１が、利用者１側のパソコン２に、その料理の分類毎等の一覧を表示させる。そして、利用者１がその料理一覧の中からレシピ情報の提供を希望する料理である第１料理を、パソコン２上で選択することで、パソコン２から料理レシピ情報提供システム２０側に送信される要求信号を受信し、その要求信号により認識される第１料理の第１レシピ情報をレシピ情報ＤＢ２２から抽出する第１レシピ情報抽出工程を実行する。そして、料理レシピ情報提供システム２０は、その第１料理抽出工程で抽出した第１レシピ情報をインターネット網１０を介して利用者１側のパソコン２に送信する第１レシピ情報送信工程を実行し、このように第１レシピ情報を受信したパソコン２は、そのレシピ情報を、ディスプレイ等に表示したり、音声等により出力するのである。
【００２３】
さらに、本実施形態においては、上記レシピ情報ＤＢ２２に格納され、利用者１のパソコン２に送信されるレシピ情報が、オーブン等の所定の調理機器３の加熱温度及び運転時間等の制御パラメータを含むものとされている。そして、調理機器３が、パソコン２と接続可能で、このようにパソコン２で受信し、転送されたレシピ情報内の制御パラメータを受信して、その制御パラメータに基づく運転ができるように構成されており、さらに、パソコン２は、調理機器３のこのような制御パラメータに基づく運転が開始されたときに、運転開始信号をホストサーバ２１に送信するように構成されている。
【００２４】
また、このようにオーブン等の調理機器３に料理レシピ情報提供システム２０から受信した制御パラメータを転送するパソコン２は、調理機器に内蔵された端末として構成することもでき、さらに、調理機器に内蔵された端末にて、上記レシピ情報を受信する場合は、調理機器の表示画面等にレシピ情報としての料理レシピを表示することができる。また、上記パソコン２は、利用者１が所有する複数の調理機器や空調機器やその他の機器等に接続され、夫々の機器の制御を行うためのホームサーバとして構成することもできる。
【００２５】
次に、本発明に係る料理レシピ情報提供方法の特徴構成について説明する。
料理レシピ情報提供システム２０は、図２に示すように、本発明に係る料理レシピ情報提供方法において、上記第１レシピ情報抽出工程及び第１レシピ情報送信工程を実行して、利用者１側のパソコン２に主菜等の第１料理のレシピ情報を送信した後に、又は、利用者１側のパソコン２から調理機器３の運転開始に関する運転開始信号を受信した後に、第１レシピ情報抽出工程で抽出した第１レシピ情報から、第１料理の調理中における合間時間を認識する合間時間認識工程を実行する。詳しくは、第１料理の調理中において、オーブン等の調理機器３による自動調理がある場合は、その調理機器３の自動調理にかかる時間を、利用者１が特に作業を行わない合間時間として認識するのである。
【００２６】
次に、料理レシピ情報提供システム２０は、上記合間時間認識工程で認識した合間時間において調理可能な副菜等の第２料理に関する第２料理情報を、レシピ情報データベースから検索する第２料理検索工程を実行する。
詳しくは、上記第２料理検索工程においては、認識した利用者１側の合間時間で調理可能で、例えば、第１料理がオーブンにより調理する料理である場合はコンロで調理可能な料理というように、上記第１料理とは異なる調理機器で調理可能な第２料理を、レシピ情報ＤＢ２２から検索するのである。
【００２７】
そして、料理レシピ情報提供システム２０は、上記のように検索された複数又は単数の第２料理の一覧又はそのレシピ情報等である第２料理情報を、インターネット網１０を介して、利用者１側のパソコン２に送信する第２料理情報送信工程を実行するのである。
【００２８】
このように本発明に係る料理レシピ情報提供方法を実行することで、利用者１が主菜等の調理を行うために、その主菜となる第１料理の第１レシピ情報を受信した利用者１側のパソコン２には、その第１料理の調理中の合間時間を利用して調理可能な副菜等の第２料理の一覧又はそのレシピ情報等の第２料理情報を受信して表示されるので、利用者１は、その第２料理情報を参考にして副菜等を決定し、さらに、第１料理の調理中の合間時間を有効利用してその第２料理を調理することができる。
【００２９】
さらに、利用者１のパソコン２が調理機器３と接続され、調理機器３の運転が開始されたときに、調理機器３がその運転時間を認識可能な運転時間信号を、パソコン２及びインターネット網１０を介して、料理レシピ情報提供システム２０側のホストサーバ２１に送信するように構成されている場合には、料理レシピ情報提供システム２０は、以下のような料理レシピ情報提供方法を実行することもできる。
【００３０】
即ち、料理レシピ情報提供システム２０は、上記合間時間認識工程において、調理機器３の運転時間を認識できる運転時間信号から認識できる調理機器３の運転時間を、利用者１が特に作業を行わない合間時間として認識する。
そして、その合間時間に基づいて、前述の第２料理情報抽出工程及び第２料理情報送信工程を実行し、調理機器３による自動調理時間中の合間時間において調理可能な複数又は単数の第２料理の一覧又はそのレシピ情報等である第２料理情報を、インターネット網１０を介して、利用者１側のパソコン２に送信することができ、パソコン２にその第２料理情報が表示されることになる。
そして、利用者１は、このように調理機器３を運転した後にパソコン２に表示される第２料理情報を参考にして、その調理機器３が運転中の合間を利用して、副菜等の第２料理の調理を行うことができるのである。
【００３１】
尚、上記レシピ情報ＤＢ２２に格納されているレシピ情報は、料理の名称、表示される料理レシピ、料理の調理時間及び合間時間等と、上記調理機器３の制御パラメータとを含む情報である。
【００３２】
次に、本発明に係る料理レシピ情報提供方法において、第１料理としてのマカロニグラタンのレシピ情報を、利用者１側のパソコン２に送信したときの、上記第２料理検索工程及び上記第２料理情報送信工程を実行して利用者１のパソコン２に送信される第２料理情報について説明する。
即ち、上記合間時間認識工程で認識される上記マカロニグラタンの調理中における合間時間は、オーブンによる自動加熱調理にかかる１５分間となるので、上記第２料理検索工程においては、レシピ情報ＤＢ１７から、その１５分に５分を足した２０分以内で調理可能で、且つオーブン以外のコンロを用いる複数の第２料理を検索する。
そして、上記第２料理情報送信工程で送信された第２料理情報は、図３に示すように、その検索された複数の第２料理の材料毎に分類された表として、パソコン２に表示され、さらに、オーブン３の自動調理時間である１５分以内のものが網掛け又は太字等により強調されて表示されることになり、利用者２は、このように表示された第２料理の表から、実際に調理する副菜を決定し、その副菜をパソコン２上において、マウス等のポイントツールにより選択することにより、料理レシピ情報提供システムから、その副菜のレシピ情報を受信するのである。
尚、図３には、複数の第２料理を５分毎の調理時間の分類で分割して表示しているが、もっと細かく料理時間を分割しても構わない。
【００３３】
尚、本発明に係る料理レシピ情報提供方法は、ホストサーバ２１におけるコンピュータ処理により実行され、ホストサーバ２１のＣＰＵがＲＯＭ又はその他のプログラム記憶媒体に格納されたコンピュータプログラムを実行することで実現される。具体的には、本発明に係る料理レシピ情報提供方法の各工程の処置を実行するためのプログラムを、磁気又は光記憶装置等のプログラム記憶媒体に格納しておき、その記憶媒体に格納されたプログラムを、ホストサーバ２１のＲＯＭにロードした上で、ホストサーバ２１のＣＰＵがそのプログラムを実行することで、本発明方法が実現される。ここで、上記プログラム記憶媒体は、コンピュータに内蔵又は外設の固定型の記憶媒体であっても、可搬型のＣＤ−ＲＯＭ又はフロッピーディスク等の記憶媒体であってもよい。また、上記ＲＯＭも、上記プログラムがロードされれば、上記プログラム記憶媒体となる。
【００３４】
〔別実施の形態〕
次に、本発明の料理レシピ情報提供方法の別の実施の形態を図面に基づいて説明する。
〈１〉  上記実施の形態では、所定の調理機器３をオーブンとしたが、別に、所定の調理機器としては、電子レンジ、炊飯器、コンロ、グリル、オーブントースタ等を利用できる。また、上記合間時間を、第１料理のその調理機器を用いた調理時間としたが、別に、第１料理において、利用者が特に何も作業しない待ち時間等を合間時間とすることもできる。
【００３５】
〈２〉  上記実施の形態では、料理情報提供システム２０が管理する料理レシピ提供サイトに、通信ネットワークとしてのインターネット網１０を介してアクセス可能な利用者１側の端末として、パソコン２を用いたが、このような利用者側の端末としては、インターネット網１０にアクセス可能に構成された携帯電話、ＰＤＡ（パーソナル・デジタル・アシスタント）等の携帯型電子端末、又は利用者側のキッチンに設けられたキッチンリモコン等を利用することもできる。
【００３６】
〈３〉  本発明の料理レシピ情報提供方法においては、第１料理と、その調理中の合間時間を利用して調理可能な第２料理とは、主菜と副菜、主菜と汁物、副菜と汁物、又は肉料理と野菜料理等のように、異なる料理の分類を有するものであることが好ましく、利用者は、バランスの良い組み合わの料理を調理することができる。
さらに、第１料理と第２料理とは、共に和食料理、洋食料理、又は中華料理であることが好ましく、第１料理に対して統一性のある第２料理を利用者に提案することができる。
【図面の簡単な説明】
【図１】料理レシピ情報提供システムの概略構成図
【図２】料理レシピ情報提供方法の実施の形態の流れを示すフロー図
【図３】第２料理の表示例を示す図
【符号の説明】
１        利用者
２        パソコン（利用者側の端末）
３        調理機器
１０      インターネット網（通信ネットワーク）
２０      料理レシピ情報提供システム
２１      ホストサーバ
２２      レシピ情報データベース
【図１】
0004342117.tif 000002
【図２】
0004342117.tif 000003
【図３】
0004342117.tif 000004